(57)【要約】      （修正有）【課題】使って楽しいモップを提供する。【解決手段】このぬいぐるみモップ１００は、はりねずみ型をしており、ぬいぐるみ本体１の後方には手を挿入する開口部が設けられ、空洞になっている内部に手を入れることができる。また、化学モップ５には、所定太さの毛足の長いパイルが用いられ、毛足の長さは、はりねずみのイメージを形成する程度の長さとし、前記ぬいぐるみ本体１の上面（はりねずみの背中側）に着脱可能に取り付けられる。このぬいぐるみモップ１００は、従来のような柄のついたモップに比べてコンパクトであり、実用一辺倒のデザインではなく遊び心をもったデザインとなっており、使用の際に楽しい雰囲気をかもし出すことができる。【選択図】図１
0003145702.tif 000002
【実用新案登録請求の範囲】
【請求項１】
ユーザの手を挿入可能な袋状の内部構造で且つその後方に手を挿入するための開口部を有するぬいぐるみ本体と、
ぬいぐるみ本体の一部に設けた化学モップと、を有し、
前記ぬいぐるみ本体及び化学モップにより動物その他のキャラクターの姿を構成することを特徴とするぬいぐるみモップ。
【請求項２】
さらに、前記ぬいぐるみ本体の背中に化学モップが設けられ、前記ぬいぐるみ本体の少なくとも一部が超極細繊維の織編物からなることを特徴とする請求項１に記載のぬいぐるみモップ。
【請求項３】
前記化学モップは、ぬいぐるみ本体に対して、着脱可能であることを特徴とする請求項１又は２に記載のぬいぐるみモップ。
【請求項４】
前記ぬいぐるみ本体の一部に滑り止め面を設けたことを特徴とする請求項１〜３のいずれか一つに記載のぬいぐるみモップ。
【請求項５】
後部に尻尾を想起させる柄が延出しているぬいぐるみ本体と、
ぬいぐるみ本体の一部に設けた化学モップと、を有し、
前記ぬいぐるみ本体及び化学モップにより動物その他のキャラクターの姿を構成することを特徴とするぬいぐるみモップ。
【請求項６】
ぬいぐるみ本体の背中に別の柄の先端を取り付ける取付部を備えたことを特徴とする請求項５に記載のぬいぐるみモップ。
【考案の詳細な説明】
【技術分野】
【０００１】
この考案は、ぬいぐるみとしての特徴を兼ね備えたモップに関する。
【背景技術】
【０００２】
従来のモップは、モップに対して柄が取り付けられた構造となっている。例えば特許文献１に記載の柄付モップは、化学繊維製の不織布からなるモップに対して柄を取り付けた構造である。この柄付モップは、使用していないときには所定の場所に置かれており、使用する際、柄を持ってモップを掃除したい場所に対して押し当てるようにして埃などを拭き取る。
【特許文献１】実用新案登録公報３０４４８２３号公報
【考案の開示】
【考案が解決しようとする課題】
【０００３】
しかしながら、上記従来のモップはあまりに実用的なデザインであり、楽しさに欠く。また、自動車内の清掃にモップを用いることが多く、かかる場合に上記従来のタイプのモップでは例えばダッシュボードに置くには大きく且つ見た目も悪い。
【課題を解決するための手段】
【０００４】
そこで、この考案にかかるぬいぐるみモップは、手を挿入可能な袋状の内部構造で且つその後方に手を挿入するための開口部を有するぬいぐるみ本体と、ぬいぐるみ本体の一部に設けた化学モップとを有し、前記ぬいぐるみ本体及び化学モップにより動物その他のキャラクターの姿を構成することを特徴とする。
【０００５】
また、この考案にかかるぬいぐるみモップは、上記考案において、さらに、前記ぬいぐるみ本体の背中に化学モップが設けられ、前記ぬいぐるみ本体の少なくとも一部が超極細繊維の織編物からなることを特徴とする。
【０００６】
また、この考案にかかるぬいぐるみモップは、前記化学モップは、ぬいぐるみ本体に対して、着脱可能であることを特徴とする。また、前記ぬいぐるみ本体の一部に滑り止め面を設けてもよい。
【０００７】
また、この考案にかかるぬいぐるみモップは、後部に尻尾を想起させる柄が延出しているぬいぐるみ本体と、ぬいぐるみ本体の一部に設けた化学モップとを有し、前記ぬいぐるみ本体及び化学モップにより動物その他のキャラクターの姿を構成することを特徴とする。
【０００８】
また、この考案にかかるぬいぐるみモップは、上記考案において、ぬいぐるみ本体の背中に別の柄の先端を取り付ける取付部を備えたことを特徴とする。
【考案を実施するための最良の形態】
【０００９】
（実施の形態１）
図１は、この考案の実施の形態１にかかるぬいぐるみモップを示す斜視図である。図２は、このぬいぐるみモップを示す裏面図である。図３は、このぬいぐるみモップの側面図である。図４は、化学モップとぬいぐるみ本体との着脱形態を示す説明図である。このぬいぐるみモップ１００は、はりねずみ型をしており、ぬいぐるみ本体１の後方には手を挿入する開口部２が設けられ、ぬいぐるみ本体１の内部は空洞になっている。ぬいぐるみ本体１の材質には、超極細繊維からなる糸により編んだ織編物、例えばマイクロファイバークロス８を用いる。超極細繊維によりぬいぐるみ本体１の外側を構成することにより、表面の埃や油脂分などの汚れを効果的に取り除くことができる。手足、目、鼻、口、ひげ等の部品は異なる材料でもよい。内部の空洞を形成する袋３には、普通の薄手の布を用いる。ぬいぐるみ本体１と袋３との間には、適宜、ポリエステル綿などを詰めるのが好ましい。また、ぬいぐるみ本体１の足４の部分には、指が入るようにしておくのが好ましい。
【００１０】
化学モップ５には、所定太さの毛足の長いパイルが用いられ、その表面には吸着剤、抗菌剤、防かび剤が配合されている。この毛足の長さは、はりねずみのイメージを形成する程度の長さとし、前記ぬいぐるみ本体１の上面（はりねずみの背中側）に着脱可能に取り付けられる。具体的には、ぬいぐるみ本体１の上面及び化学モップ５の裏面に設けられた面ファスナー６により、当該化学モップ５がぬいぐるみ本体１に対して着脱可能となる。また、面ファスナー６ではなく、ボタンやホック等により化学モップ５をぬいぐるみ本体１に取り付けても良い（図示省略）。
【００１１】
ぬいぐるみのお腹７の一部又は全部には、ぬいぐるみ本体１による拭き取りに支障がない部分に滑り止め面を設けてもよい（図中点線で示す）。例えば、前記滑り止め面は、皮革面やゴム面であり、お腹７の後方や顔部分１０の下面に設ける。より具体的には、ぬいぐるみモップ１００を車中のダッシュボード上において適宜フロントガラスや眼鏡等を拭く場合、拭いている途中でハンドル操作をしなければならないときがある。このとき、ハンドル操作のたびに当該ぬいぐるみモップ１００を手から外している暇はないので、当該ぬいぐるみモップ自体がドライビンググローブと同じ機能を持つよう、前記お腹７の後方にディンプル加工が施された皮革を設ける。
【００１２】
このようにすれば、当該ぬいぐるみモップ１００を手につけたままで運転できるし、その運転姿もはりねずみがハンドルにつかまっているような感じを出すことができる。また、マイクロファイバークロス８を用いて掃除するときには、主に手の平側であっても比較的指位置となるマイクロファーバークロス８を用いて掃除することになるので、手の平の手首に近い方（親指の付け根付近等）に当該滑り止め面を設けても、清掃にあまり支障をきたさない。
【００１３】
次に、このぬいぐるみモップ１００の使用方法について説明する。このぬいぐるみモップ１００を車内で用いる場合、通常は当該ぬいぐるみモップ１００をダッシュボード上やサイドコンソール上に置いておき、フロントガラス、ミラー、ダッシュボード、メーターパネルなどの汚れを拭き取る際、ユーザがぬいぐるみモップ１００の開口部２から手を入れる。図３に示すように、ユーザが手Ｈを入れた状態でお腹７が手の平側、化学モップ５が手の甲側となり、ユーザは手の平側（お腹７）のマイクロファイバークロス８により細かい汚れを拭き取ることができ、また、手の甲側の化学モップ５で埃や塵を取り除くことができる。そして、このマイクロファイバークロス８と化学モップ５との使い分けを手の平側と甲側と行うことができる。また、ぬいぐるみ本体１全体がマイクロファイバークロス８により構成されているので、細かい部分や狭い部分に対しては、顔部分１０などを押し当てて掃除することができる。更に、このぬいぐるみモップ１００は、従来のような柄のついたモップに比べてコンパクトであり、実用一辺倒のデザインではなく遊び心をもったデザインとなっており、車内に置くことで楽しい雰囲気をかもし出すことができる。
【００１４】
また、ぬいぐるみモップ１００のお腹７の一部（又は全部）に、滑り止めの皮革９を設けた場合は、ぬいぐるみモップ１００に手を入れたままでも安全に運転を行うことができる。また、ぬいぐるみモップ１００を手に装着した状態で運転することで、より楽しい雰囲気をかもし出すことができる。なお、このぬいぐるみモップ１００は、自動車内の清掃に適しているが、その用途は、これに限定されるものではない。
【００１５】
また、化学モップ５は面ファスナー６により取り付けられているから、当該化学モップ５が汚れても簡単に取り替えることができる。更に、ぬいぐるみ本体１から外した化学モップ５は洗濯することができる。なお、化学モップ５は、毛足の長いものから短いものまで多種類用意しておくことで、用途等に応じた使用が可能になる。なお、ぬいぐるみ本体１を比較的短毛のファーで製作し、お腹７および／または顔１０にマイクロファイバークロス８を設けることもできる（図示省略）。この場合、よりぬいぐるみ感を出すことができる。
【００１６】
（実施の形態２）
図５は、この考案の実施の形態２にかかるぬいぐるみモップを示す斜視図である。図６は、このぬいぐるみモップを示す後方斜視図である。図７は、長い柄を取り付けた状態を示す説明図である。このぬいぐるみモップ２００は、ぬいぐるみ本体２０１に柄２０２の先が固定されており、且つ、この柄２０２の部分はぬいぐるみ本体２０１の後部から斜め上に延出し、当該柄２０２が動物（この図面では犬）のしっぽになっている。また、ぬいぐるみ本体２０１の背中に長い柄２０３の先端を取り付ける取付部２０４が設けられている。長い柄２０３は、先端にねじ山が設けられており、前記取付部２０４にねじ込むことで着脱可能となる。
【００１７】
上記同様、ぬいぐるみ本体２０１の後方には手を挿入する開口部が設けられ（図示省略）、ぬいぐるみ本体２０１の内部は空洞になっている。ぬいぐるみ本体２０１の材料には、比較的短毛のファーを用いる。手足、目、鼻、口、ひげ等の部品は異なる材料でもよい。内部の空洞を形成する袋には、普通の薄手の布を用いる。ぬいぐるみ本体２０１と袋との間には、適宜、ポリエステル綿などを詰めるのが好ましい。
【００１８】
ぬいぐるみ本体２０１の背中側には、化学モップ２０５が面ファスナー２０６により着脱可能に設けられている。この化学モップ２０５は、上記同様の所定太さの毛足の長いパイルが用いられ、その表面には吸着剤、抗菌剤、防かび剤が配合されている。この毛足の長さは、毛の長い犬のイメージを形成する程度の長さとする。
【００１９】
また、化学モップ２０５は面ファスナー２０６により取り付けられているから、当該化学モップ２０５が汚れたときは、簡単に取り替えることができる。更に、ぬいぐるみ本体２０１から外した化学モップ２０５を洗濯することができる。また、面ファスナーではなく、ボタンやホック等により化学モップ２０５をぬいぐるみ本体１に取り付けても良い。なお、化学モップ２０５は、毛足の長いものから短いものまで多種類用意しておくことで、用途等に応じた使用が可能になるし、いろいろな種類の犬を演出できる。また、ぬいぐるみ本体２０１のおなか部分には、マイクロファイバークロスを設けるのが好ましい（図示省略）。
【００２０】
このぬいぐるみモップ２００を使用する場合、しっぽに相当するモップの柄２０２を掴んで、汚れた場所（床面、机面等）を拭く。このとき、ぬいぐるみ本体２０１の両側から垂れ下がっている化学モップ２０５が埃や塵を拭き取り、お腹のマイクロファイバークロスがより細かい汚れを拭きとる。また、ぬいぐるみモップ２００を家具や壁の隙間に入れたとき、モップ全体がぬいぐるみでできているので、隙間に応じて変形して当該隙間に入り込むことになり、これをもって化学モップ２０５により隙間全体を拭くことができるようになる。
【００２１】
次に、このぬいぐるみモップ２００を立って使いたいときは、図７に示すように、ぬいぐるみモップ２００の背中に設けた取付部２０４に、長い柄２０３の先端をねじ込んで取り付け、床面を掃除する。この場合も、ぬいぐるみ本体２０１の両側から垂れ下がっている化学モップ２０５が埃や塵を拭き取り、お腹のマイクロファイバークロスがより細かい汚れを拭きとり、隙間に入れることでぬいぐるみ全体が隙間にそって変形して当該隙間に入り込むから、当該隙間全体の掃除ができるようになる。また、後方の開口部から手を入れて掃除することもできる。
【００２２】
以上から、この実施の形態１および２のぬいぐるみモップ１００，２００によれば、かわいいデザインにより楽しく掃除することができる。
【図面の簡単な説明】
【００２３】
【図１】この考案の実施の形態１にかかるぬいぐるみモップを示す斜視図である。
【図２】図１に示したぬいぐるみモップを示す裏面図である。
【図３】図１に示したぬいぐるみモップの側面図である。
【図４】化学モップとぬいぐるみ本体との着脱形態を示す説明図である。
【図５】この考案の実施の形態２にかかるぬいぐるみモップを示す斜視図である。
【図６】図５に示したぬいぐるみモップを示す後方斜視図である。
【図７】図５に示したぬいぐるみモップに長い柄を取り付けた状態を示す説明図である。
【符号の説明】
【００２４】
１００  ぬいぐるみモップ
１  ぬいぐるみ本体
２  開口部
５  化学モップ
６  面ファスナー
８  マイクロファイバークロス
【図１】
0003145702.tif 000003
【図２】
0003145702.tif 000004
【図３】
0003145702.tif 000005
【図４】
0003145702.tif 000006
【図５】
0003145702.tif 000007
【図６】
0003145702.tif 000008
【図７】
0003145702.tif 000009